【事件の表示】
　特願２００５−１５７６９６「遊技機」拒絶査定不服審判事件〔平成１８年１２月　７日出願公開、特開２００６−３２６１９７〕について、次のとおり審決する。
【結　論】
　本件審判の請求は、成り立たない。
【理　由】
１．手続の経緯・本願発明
　本願は、平成１７年５月３０日の出願であって、その請求項１に係る発明（以下、「本願発明」という。）は、平成２４年１１月２８日付けの手続補正書により補正された特許請求の範囲の請求項１に記載された事項により特定される次のとおりのものと認められる。
　
　「【請求項１】
　遊技機器を収容した筐体の前面に設けられた前扉と、該前扉の前面のほぼ中央に設けられる識別情報表示窓の左右両側に設けられ、前記前扉の前面を電飾する電飾手段とを備えた遊技機において、
　前記電飾手段は、
　前記前扉に固定されると共に、前面にプリント配線を設けた光源用基板と、
　該光源用基板の前面に上下方向に沿って実装される複数の第１光源と、
　前記第１光源よりも前記識別情報表示窓寄りの内側にあって、前記光源用基板の前面に上下方向に沿って実装され前記第１光源と発光形態が異なる複数の第２光源と、
　導電性の表面処理が施されて前記第１、２光源を含む前記光源用基板を前方から覆うように前記前扉に固定されると共に、前記第１光源が設けられる領域を囲む第１部屋部、当該第１部屋部よりも前記識別情報表示窓寄りの内側にあって、前記第２光源が設けられる領域を囲む第２部屋部及び、前記第１部屋部と前記第２部屋部とを仕切り、前記第１部屋部内で発光する前記第１光源の光と前記第２部屋部内で発光する前記第２光源の光が互いに干渉しないように前記光源用基板の前面に向けて突出して上下方向へ延出する遮光壁を一体的に形成した遮光性の装飾カバーと、
　前記第１光源の前側にあって、表面が外側斜め前方を向く傾斜状態で前記第１部屋部の前面を閉塞するように前記装飾カバーに固定されて前記第１光源の光を透過可能な第１レンズと、
　前記第２光源の前側で、かつ前記第１レンズよりも前記識別情報表示窓寄りの内側にあって、表面が前記識別情報表示窓の前方へ向く傾斜形態で前記第２部屋部の前面を閉塞するように前記装飾カバーに固定されて前記第２光源の光を透過可能な第２レンズと、
　前記装飾カバーを前記前扉に固定することにより、前記遮光壁の後端面と前記光源用基板の前面における前記プリント配線との間に弾性変形した状態で密接して前記装飾カバー及び前記光源用基板のがた付きを抑えると共に、前記遮光壁と前記光源用基板との間の隙間を遮蔽可能な絶縁性でかつ弾性変形可能な遮蔽部材とを含むことを特徴とする遊技機。」
　
　
２．引用例
　これに対して、当審において平成２４年１０月１日付けで通知した拒絶の理由に引用した刊行物であって、本願出願前に頒布された、
　刊行物１：特開２００５−２１４４３号公報、
　刊行物２：特開２００２−２８３５４号公報、 
　刊行物３：特開２００４−３３７４１８号公報、
　刊行物４：特開２００１−１２０８０５号公報、 
　刊行物５：特開２００４−３８０８０号公報 
　には、図面とともに次の事項が記載されている。なお、下線は当審で付した。
　
（１）刊行物１
　（１ａ）「【０００８】
【発明の実施の形態】
以下、図面を参照して本発明の好ましい実施形態について説明する。本発明に係るメダル投入ガイド構造を有したスロットマシンの全体的な構成について、図１〜図４を参照してまず説明する。
このスロットマシンは、前面が矩形状に開口した略直方体箱状の本体筐体１１内にスロット遊技装置を配設して構成されるスロットマシン本体１と、本体筐体１１の右側端部にスライドヒンジ３，３を介して開閉揺動自在に取り付けられた前扉２とから構成される
【０００９】
本体筐体１１内に配設されるスロット遊技装置としては
図柄が描かれた三つのリール１３ａ，１３ｂ，１３ｃを回転・停止させるリール装置１３
等があり
本体筐体１１内に配設されている
　
　ここで、図２，３は次のとおり。　  
　（１ｂ）「【００１２】
前扉２は
本体筐体１１の
前面側矩形状開口を開閉自在に覆う形状のフロントマスク２０と
フロントマスク２０の上部の上パネル取付枠部２１に着脱自在に取り付けられた上パネルアセンブリ３０と
フロントマスク２０の中央部に矩形枠状に形成された表示部２２における矩形状の表示開口２２ａを後面側から覆って取り付けられた中パネルアセンブリ４０
から構成される
　
　ここで、図７，８は次のとおり。　
　
　（１ｃ）「【００１７】
次に、上記構成の
前扉２において
上パネルアセンブリ３０
上パネル取付枠部２１は矩形枠状に形成されて矩形状の枠部開口２１ａを有し、この枠部開口２１ａを前面側から覆うように上パネルアセンブリ３０が着脱自在に取り付けられる
上パネルアセンブリ３０は、上パネル取付枠部２１に着脱自在に取り付けられる上パネル枠３１と、上パネル枠３１の裏面に取り付けられる上パネルベース３４と、上パネルベース３４の裏面に取り付けられる表示装置３６とから構成される
【００１８】
上パネル枠３１は、中央に位置する表示用開口３１ａと、
上部中央に位置する第１飾り用凹部３１ｃと、上部左右に位置する第２飾り用凹部３１ｄと、これら第２飾り用凹部３１ｄの内側に位置して円弧状に形成された第３飾り用凹部３１ｅとを有して樹脂一体成型により形成されている
第１飾り用凹部３１ｃの底面にはランプ、ＬＥＤ等の発光体を有する第１ランプ基板３２ａが取り付けられ、この第１ランプ基板３２ａが取り付けられた第１飾り用凹部３１ｃを覆って第１飾りレンズ３２ｂが取り付けられている
また、第２および第３飾り用凹部３１ｄ，３１ｅの底面は開口しており、これら開口を裏面側から覆って第２ランプ基板３３ａが取り付けられており、このように第２ランプ基板３３ａが取り付けられた第２および第３飾り用凹部３１ｄ，３１ｅを前面側からそれぞれ覆って第２および第３飾りレンズ３３ｂ，３３ｃが取り付けられている
これら第１〜第３飾りレンズ３２ｂ，３３ｂ，３３ｃは所定の色を有した半透明樹脂からなり、第１および第２ランプ基板３２ａ，３３ａ上のランプ、ＬＥＤの発光を受けて所定の色で発光するランプ飾りを構成する
【００１９】
上パネルベース３４はベース枠３４ａによりパネル板３４ｂを保持して構成され、上パネル枠３１の表示用開口３１ａおよび左右のスピーカ用開口３１ｂ，３１ｂを裏面側から覆って上パネル枠３１に結合して取り付けられる。・・・（中略）・・・
【００２０】
表示装置３６は、前面側に液晶ディスプレイ３８を有して
この
表示装置３６が上パネルベース３４の裏面に取り付けられた状態で液晶ディスプレイ３８の表示が上パネル枠３１の表示用開口３１ａを通して見えるように、上パネルベース３４を構成するパネル板３４ｂにおける少なくとも液晶ディスプレイ３８の画面に対向する部分が透明である
【００２１】〜【００２２】（略）
【００２３】
以上説明したように、上パネルアセンブリ３０は、上パネル枠３１に第１および第２ランプ基板３２ａ，３３ａと第１〜第３飾りレンズ３２ｂ，３３ｂ，３３ｃとスピーカ３５ａおよび保護網３５ｂとを取り付け、この上パネル枠３１の裏面に上パネルベース３４を取り付け、さらに上パネルベース３４の裏面に表示装置３６を取り付けて構成される。このため、上パネルアセンブリ３０を独立して組み立てた後、これをフロントマスク２０の上パネル取付枠部２１に取り付ければ良く、組み立ておよび交換が容易である。また、上パネルアセンブリ３０を全体としてデザイン変更することが容易であり、且つ上パネル枠３１および飾りレンズのみをデザイン変更することも容易であるため、フロントマスク２０は共通で上パネルアセンブリ３０のみを変更して、種々のデザイン変更に対応可能であるという利点を有する。」　
　
　（１ｄ）「【００２５】
次に表示部２２の後面に取り付けられる中パネルアセンブリ４０の構成について、図１４〜図１８を参照して説明する。なお、図１７は図１の矢印ＸＶＩＩ−ＸＶＩＩに沿った断面を示し、図１８は図１の矢印ＸＶＩＩＩ−ＸＶＩＩＩに沿った断面を示す。
中パネルアセンブリ４０は、表示部２２の矩形開口２２ａを後面側から覆う透明矩形板状の中パネル４１と、この中パネル４１を後面側から覆って表示部２２の後面に取り付けられる矩形枠状のランプハウス部材４２とから構成される
　
　（１ｅ）図２，３より、
前扉２は、本体筐体１１の前面に設けられている
第２飾り用凹部３１ｄと第３飾り用凹部３１ｅとの間には、何らかの隔壁といえるものが存在している
　また、図３，４，７等をみると、「フロントマスク２０の中央部に矩形枠状に形成された表示部２２における矩形状の表示開口２２ａ」（【００１２】）と、「表示部２２の矩形開口２２ａを後面側から覆う透明矩形板状の中パネル４１と、この中パネル４１を後面側から覆って表示部２２の後面に取り付けられる矩形枠状のランプハウス部材４２とから構成される」中パネルアセンブリ４０（【００２５】）とは、「三つのリール１３ａ，１３ｂ，１３ｃ」（【０００９】）を透視可能な表示窓を形成しているといえる。
　
　これら記載事項を含め刊行物１の全記載を総合すると、刊行物１には次の発明（以下、「刊行物１記載の発明」という。）が記載されているものと認められる。
　
　「図柄が描かれた三つのリール１３ａ，１３ｂ，１３ｃを回転・停止させるリール装置１３等のスロット遊技装置を内に配設した本体筐体１１の前面に取り付けられた前扉２を備えたスロットマシンにおいて、
　前扉２は、本体筐体１１の前面側矩形状開口を開閉自在に覆う形状のフロントマスク２０と、フロントマスク２０の上部の上パネル取付枠部２１に着脱自在に取り付けられた上パネルアセンブリ３０と、フロントマスク２０の中央部に矩形枠状に形成された表示部２２における矩形状の表示開口２２ａを後面側から覆って取り付けられた中パネルアセンブリ４０を有し、
　中パネルアセンブリ４０は、表示部２２の矩形開口２２ａを後面側から覆う透明矩形板状の中パネル４１と、この中パネル４１を後面側から覆って表示部２２の後面に取り付けられる矩形枠状のランプハウス部材４２とから構成され、
　上パネルアセンブリ３０は、上パネル枠３１と、上パネル枠３１の裏面に取り付けられる上パネルベース３４と、上パネルベース３４の裏面に取り付けられる液晶ディスプレイ３８を有する表示装置３６とから構成され、
　上パネル枠３１は、中央に位置する表示用開口３１ａと、左右下部に位置するスピーカ用開口３１ｂ，３１ｂと、上部中央に位置する第１飾り用凹部３１ｃと、上部左右に位置する第２飾り用凹部３１ｄと、これら第２飾り用凹部３１ｄの内側に位置して円弧状に形成された第３飾り用凹部３１ｅとを有して樹脂一体成型により形成され、
　第２飾り用凹部３１ｄと第３飾り用凹部３１ｅとの間には、隔壁が設けられており、
　第１飾り用凹部３１ｃの底面にはランプ、ＬＥＤ等の発光体を有する第１ランプ基板３２ａが取り付けられ、この第１ランプ基板３２ａが取り付けられた第１飾り用凹部３１ｃを覆って第１飾りレンズ３２ｂが取り付けられており、
　また、第２および第３飾り用凹部３１ｄ，３１ｅの底面は開口しており、これら開口を裏面側から覆って第２ランプ基板３３ａが取り付けられており、このように第２ランプ基板３３ａが取り付けられた第２および第３飾り用凹部３１ｄ，３１ｅを前面側からそれぞれ覆って第２および第３飾りレンズ３３ｂ，３３ｃが取り付けられており、
　これら第１〜第３飾りレンズ３２ｂ，３３ｂ，３３ｃは所定の色を有した半透明樹脂からなり、第１および第２ランプ基板３２ａ，３３ａ上のランプ、ＬＥＤの発光を受けて所定の色で発光するランプ飾りを構成するものであり、
　前面側に液晶ディスプレイ３８を有する表示装置３６が、上パネルベース３４の裏面に取り付けられた状態で液晶ディスプレイ３８の表示が上パネル枠３１の表示用開口３１ａを通して見えるように、上パネルベース３４を構成するパネル板３４ｂにおける少なくとも液晶ディスプレイ３８の画面に対向する部分が透明である、
　スロットマシン。」
　
（２）刊行物２ 
　（２ａ）「【０００１】
【発明の属する技術分野】
本発明は、パチンコ機やスロットル機などの各種遊技機が列設される遊技機島台において、その上部を装飾するために設けられる欄間装置に関する
　
　（２ｂ）「【００２３】図１に示すように、欄間装置はパチンコ機２４と略同じ横幅を有する本体１１を備え、この本体１１は蝶番部１４により島台２３に開閉自在に支持されている。・・・（中略）・・・ここでは、電飾部は、両幅広部２１ａ間に位置する第１電飾部１２と、両幅狭部２１ｂ間に位置する第２電飾部１３とからなる。
【００２４】図２に示すように、
第１電飾部１２は、通電により発光する複数の第１発光体としてのＬＥＤランプと、第１カバー１６とを備えている
上列では、発光色が緑色であるＬＥＤランプ１５ａ
中列では、発光色が赤色であるＬＥＤランプ１５ｂ
下列では、発光色が青色であるＬＥＤランプ１５ｃ
　
　ここで、図２，３は以下のとおり。　
　
　（２ｃ）「【００２９】例えば、パチンコ機２４が通常の状態にあるときには、制御装置２６は、第１電飾部１２に関しては、上・中・下の各列の各ＬＥＤランプ１５ａ，１５ｂ，１５ｃへの通電を断続し、第２電飾部１３に関しては、ネオン管１７ａに通電し、ネオン管１７ｂへの通電を停止する。すると、第１電飾部１２では、上列の緑色のＬＥＤランプ１５ａ、中列の赤色のＬＥＤランプ１５ｂ、下列の青色のＬＥＤランプ１５ｃが規則的に点滅し、第２電飾部１３ではネオン管１７ａが白色で点灯し、ネオン管１７ｂが消灯する。
【００３０】パチンコ機２４で大当り状態などの特別遊技状態が発生すると、制御装置２６は、第１電飾部１２に関しては、上・中・下の各列の全てのＬＥＤランプ１５ａ，１５ｂ，１５ｃへの通電を断続し、第２電飾部１３に関しては、ネオン管１７ａへの通電を停止し、ネオン管１７ｂに通電する。第１電飾部１２では、全てのＬＥＤランプ１５ａ，１５ｂ，１５ｃが同期して点滅し、第２電飾部１３では、ネオン管１７ａが消灯し、ネオン管１７ｂが青色で点灯する。なお、大当り状態以外にも、パチンコ機２４の各種遊技状況、例えば確率変動状態が発生したときや、大当り状態の発生回数が所定値を超えたときなどにも、電飾部１２，１３を異なる態様で発光させてもよい。
【００３１】遊技客によって呼出表示装置２５の操作ボタンが操作されると、制御装置２６は、ネオン管１７ｂへの通電を停止したままで、ネオン管１７ａへの通電を断続する。すると、第２電飾部１３ではネオン管１７ａが白色で点滅する。また、パチンコ機２４の不正遊技が不正検知装置２８により検知されると、制御装置２７は、ネオン管１７ａへの通電を停止し、ネオン管１７ｂへの通電を断続する。すると、第２電飾部１３では、ネオン管１７ａが消灯し、ネオン管１７ｂが青色で点滅する。
【００３２】このように、本実施形態の遊技機島台の欄間装置１１によれば、模様や色彩による装飾に動的変化がなく装飾効果に乏しい従来の欄間とは異なり、
ＬＥＤランプ１５ａ，１５ｂ，１５ｃ
に対する通電を制御して、点灯、消灯、点滅などの多様多彩な態様にする
とにより、動的変化を伴った斬新な装飾効果を発揮させる
　
（３）刊行物３
　（３ａ）「【０１０４】
また、環状電飾部１０２の中央であって
パチンコ機１０の最上部には、同じくＬＥＤ等の点灯部を複数個内蔵した表示手段としての外部表示部３９９が設けられている
【０１０５】
外部表示部３９９は、図１および図３８に示すように、パチンコ機１０の前面枠セット１２の上辺に沿って横長で、かつ、前面枠の基端側から前方に向かって縮小する三角柱状のものである。その内部は、図３９に示すように、幅方向に４区画に分割されている。各区画内部は、さらに上下に分割する
仕切り板４００
下側のランプが外部保留ランプ４０１
上側のランプが装飾用ランプ４０２
【０１０６】
外部表示部３９９を構成する部材としては、光を透過する部材
仕切り板４００を遮光部材にすることによって、外部保留ランプ４０１側に装飾用ランプ４０２の光が漏れるのを防止することができ
遊技者が外部保留ランプ４０１の点灯であるとの誤解を招かないようにできる
　
　図３８，３９は次のとおり。　
　
（４）刊行物４
　（４ａ）「【０００１】
【発明の属する技術分野】本発明は、
パチンコ機の前枠
　
　（４ｂ）「【０００７】図１を参照し、前枠１について説明する。
前枠１は
枠体２を備える
　
　（４ｃ）「【００１０】
枠体２の前面には合成樹脂からなるコ字形の前飾り３が設けられる
前飾り３は
上部飾り３１
を備える
　
　（４ｄ）「【００２３】図３を参照し、上部飾り３１の内部構造について説明する。
上部飾り３１は上部飾りベース３１ｋと回路基板３１ｍ及び上下のランプカバー３１ｎ；３１ｐからなる４つに分別された要素を備える
回路基板３１ｍの前面には複数のＬＥＤからなる上側発光源３１ｒと複数のＬＥＤからなる下側発光源３１ｓとが設けられる
【００２４】ランプカバー３１ｎ；３１ｐが上部飾りベース３１ｋにおける横長部の前側に被せられて横長部の裏面より図外の止ねじで取付けられることにより、
ランプカバー３１ｎ；３１ｐ間には上側ランプカバー３１ｎ又は下側ランプカバー３１ｐによる隔壁３１ｕが配置される
【００２５】
発光源３１ｒ；３１ｓは
ＬＥＤで統一されれば
発光源３１ｒ；３１ｓの長寿命化と発光色の色選定とが両立できる
それは、ＬＥＤはフィラメント球に比べ振動耐久性に富むと共に赤色発光や青色発光或いは黄色発光又は橙色発光等の特定色を発光するものが開発されているからである
【００２６】隔壁３１ｕは上側発光領域３１ｖと下側発光領域３１ｗとを区分する。上側発光領域３１ｖには上側発光源３１ｒが配置され、下側発光領域３１ｗには下側発光源３１ｓが配置される。よって、
上側発光源３１ｒから照射される光は下側発光領域３１ｗに漏れないように隔壁３１ｕで遮られ、下側発光源３１ｓから照射される光は上側発光領域３１ｖに漏れないように隔壁３１ｕで遮られる
【００２７】この実施形態では発光源３１ｒ；３１ｓの実装された回路基板３１ｍとランプカバー３１ｎ；３１ｐとが上部飾りベース３１ｋに取付けられることにより、上部発光表示装置３１ａが上部飾り３の前面中央に設けられる。組立てられた上部飾り３１が枠体２の上縁部に取付けられる際、上部飾りベース３１ｋの裏側に突出する上部飾り側係合部３１ｇは枠体２の肉厚内に取込まれる。」
　
　ここで、図３は次のとおり。　
　
（５）刊行物５
　（５ａ）「【０００１】
【発明の属する技術分野】
本発明は記録媒体、例えばディスク再生装置の前面部に用いられる照明光の漏光防止構造に関する。」
　
　（５ｂ）「【００１９】
１０は
ＣＤ再生装置の前面部の照明光の漏光防止構造
【００２０】
前面板２０には、ＣＤ（コンパクトディスク）を挿入／排出するための開口部２１が設けられており、開口部２１の側壁２２に隣接してインジケータ表示部３０の透光部品３１と、釦３５などを組付ける孔が形成されており、
インジケータ表示部３０（透光部品３１が挿入されている）と釦３５との間には、それぞれの照明光が漏光しないように、漏光防止壁２６などが設けられている
【００２１】
マスク２５は、機器内部の精密機構部などに塵埃が進入するのを防止すると共に、外観上の見栄えをよくするためのもの
例えば非透光色（黒色）の不織布で形成されている
【００２２】
前面基板４０には、
インジケータ表示部３０の透光部品３１と釦３５とを照明する照明用素子４１や照明用ランプ４２およびその他の電子部品などが実装されている
前面基板４０は、開口部２１の終端面２３に貼り付けられたマスク２５の表面に密着させて設けられる
【００２３】
以上説明したように本発明の第１の実施の形態に係る漏光防止構造１０によれば、
開口部２１の終端面２３に貼り付けられたマスク２５を、インジケータ表示部３０の漏光防止壁２６まで延長し
前面基板４０の上面と漏光防止壁２６の端面２８と、インジケータ表示部３０に挿入されている透光部品３１端面とが、弾性を有するマスク２５を介して密着するので隙間ができにくくなる
したがって、釦３５の照明光がインジケータ表示部３０の方へ、または、インジケータ表示部３０の照明光が釦３５の方へ漏光するのを防止することができる
また、透光部品３１のガタツキも防止される
【００２４】
また、マスク２５に照明用素子４１やその他の電子部品などが挿通する孔２７を設けることにより、前面基板４０の部品が実装されていない部分の表面がマスク２５で覆われる。したがって、基板部材の内部に入り込んだ照明光が導光されて隣接する箇所で基板４０を透過して漏光するのを防止することができる。
【００２５】
上述の効果により、ＣＤ再生装置の前面部の見栄が改善されると共に操作性の向上が図れる。その他に、マスク２５は従来例のマスク７５を延長して漏光防止部を設けたことにより、構成部品点数を増やすことなく安価で照明光の漏光を防止することができる。
【００２６】〜【００２７】（略）
【００２８】
その他に、
マスク２５およびマスク４５の材料に非透光色（黒色）の不織布を用いたが
合成樹脂シート部材などを用いることもできる
　
　図１は次のとおり。　
　
　
３．対比・判断
　本願発明と刊行物１記載の発明とを対比すると、
　刊行物１記載の発明の「スロット遊技装置」「本体筐体１１」「前扉２」「スロットマシン」は、それぞれ、本願発明の「遊技機器」「筐体」「前扉」「遊技機」に相当する。
　
　また、刊行物１記載の発明の「フロントマスク２０の中央部に矩形枠状に形成された表示部２２における矩形状の表示開口２２ａ」と「表示部２２の矩形開口２２ａを後面側から覆う透明矩形板状の中パネル４１と、この中パネル４１を後面側から覆って表示部２２の後面に取り付けられる矩形枠状のランプハウス部材４２とから構成される」中パネルアセンブリ４０は、「三つのリール１３ａ，１３ｂ，１３ｃ」を透視可能な表示窓を形成しているといえる（上記（１ｅ））から、これらは、実質的に、本願発明の「識別情報表示窓」に相当する。
　なお、本願明細書【００１４】では「各回転リール(４)の識別情報を３こまずつ透視可能な識別情報表示窓(32)」「なお、識別情報表示窓(32)・・・は、前扉(３)の前面中央に嵌め込まれる透明なアクリル板により形成される化粧用パネル(５)に設けられる。」と記載されている。
　
　刊行物１記載の発明において、「第１〜第３飾りレンズ３２ｂ，３３ｂ，３３ｃは所定の色を有した半透明樹脂からなり、第１および第２ランプ基板３２ａ，３３ａ上のランプ、ＬＥＤの発光を受けて所定の色で発光するランプ飾りを構成するものであり」、これらレンズ等のランプ飾りを備えた状態での上パネル枠３１、あるいは、当該上パネル枠３１を有する上パネルアセンブリ３０は、実質的に、本願発明の「前扉の前面を電飾する電飾手段」に相当するということができる。
　
　刊行物１記載の発明の「第２ランプ基板３３ａ」は、本願発明の「光源用基板」に相当し、
　刊行物１記載の発明の第２ランプ基板３３ａに設けられた「ランプ、ＬＥＤ等」の発光体と、本願発明の「該光源用基板の前面に上下方向に沿って実装される複数の第１光源と、前記第１光源よりも前記識別情報表示窓寄りの内側にあって、前記光源用基板の前面に上下方向に沿って実装され前記第１光源と発光形態が異なる複数の第２光源」とは、「該光源用基板の前面に実装される光源」の点で共通する。
　
　また、刊行物１記載の発明の「上パネル枠３１」は、レンズ等のランプ飾りを設けるものであるから、本願発明の「装飾カバー」とは、「カバー」の点で共通する。なお、本願発明の「装飾カバー」は、本願の実施例では、「第１、２発光ダイオード(10)(11)を含む光源用基板(８)を覆うように前扉(３)に固定される装飾カバー(12)」であり、第１レンズ(13)、第２レンズ(14)が取り付けられるものである（【００２１】）から、一種の枠体と言ってもよいものである。
　
　刊行物１記載の発明の上パネル枠３１における「上部左右に位置する第２飾り用凹部３１ｄ」「第２飾り用凹部３１ｄの内側に位置して円弧状に形成された第３飾り用凹部３１ｅ」（識別情報表示窓寄りの内側にある）は、それぞれ、本願発明の「第１部屋部」「第２部屋部」に相当し、
　刊行物１記載の発明における第２飾り用凹部３１ｄと第３飾り用凹部３１ｅとの間に設けられた「隔壁」と、本願発明の「前記第１部屋部と前記第２部屋部とを仕切り、前記第１部屋部内で発光する前記第１光源の光と前記第２部屋部内で発光する前記第２光源の光が互いに干渉しないように前記光源用基板の前面に向けて突出して上下方向へ延出する遮光壁」とは、「前記第１部屋部と前記第２部屋部とを仕切る隔壁」の点で共通する。
　
　刊行物１記載の発明における、第２および第３飾り用凹部３１ｄ，３１ｅを前面側からそれぞれ覆って取り付けられている「第２飾りレンズ３３ｂ」「第３飾りレンズ３３ｃ」と、
　本願発明における「前記第１光源の前側にあって、表面が外側斜め前方を向く傾斜状態で前記第１部屋部の前面を閉塞するように前記装飾カバーに固定されて前記第１光源の光を透過可能な第１レンズ」「前記第２光源の前側で、かつ前記第１レンズよりも前記識別情報表示窓寄りの内側にあって、表面が前記識別情報表示窓の前方へ向く傾斜形態で前記第２部屋部の前面を閉塞するように前記装飾カバーに固定されて前記第２光源の光を透過可能な第２レンズ」とは、
　それぞれ、「前記第１部屋部の前面を閉塞するように前記カバーに固定されて前記光源の光を透過可能な第１レンズ」「前記第２部屋部の前面を閉塞するように前記カバーに固定されて前記光源の光を透過可能な第２レンズ」の点で共通する。
　
　以上の点を踏まえると、両発明の一致点、相違点は以下のとおりと認められる。
　
［一致点］
　「遊技機器を収容した筐体の前面に設けられた前扉と、前記前扉の前面を電飾する電飾手段とを備えた遊技機において、
　前記電飾手段は、
　前記前扉に固定された光源用基板と、
　該光源用基板の前面に実装される光源と、
　第１部屋部、当該第１部屋部よりも識別情報表示窓寄りの内側にある第２部屋部及び、前記第１部屋部と前記第２部屋部とを仕切る隔壁を一体的に形成したカバーと、
　前記第１部屋部の前面を閉塞するように前記カバーに固定されて前記光源の光を透過可能な第１レンズと、
　前記第２部屋部の前面を閉塞するように前記カバーに固定されて前記光源の光を透過可能な第２レンズと
　を含む、遊技機。」
　
［相違点１］
　本願発明は、
　電飾手段が、前扉の前面のほぼ中央に設けられる識別情報表示窓の左右両側に設けられており、
　電飾手段における第１レンズが、表面が外側斜め前方を向く傾斜状態で前記第１部屋部の前面を閉塞するようにカバーに固定され、
　第２レンズが、第１レンズよりも前記識別情報表示窓寄りの内側にあって、表面が前記識別情報表示窓の前方へ向く傾斜形態で前記第２部屋部の前面を閉塞するように前記カバーに固定されているのに対して、
　刊行物１記載の発明は、
　電飾手段（レンズ等のランプ飾りを備えた状態での上パネル枠３１、あるいは、当該上パネル枠３１を有する上パネルアセンブリ３０）の電飾部分（第１〜第３飾りレンズ３２ｂ，３３ｂ，３３ｃ）が、識別情報表示窓（フロントマスク２０の中央部の表示開口２２ａ及び中パネルアセンブリ４０の部分）よりも上方に位置する「液晶ディスプレイ３８を有する表示装置３６」の表示窓（表示用開口３１ａの部分）の左右両側及び上側に設けられており、
　また、第１レンズ、第２レンズの向きが本願発明のものと異なる点。
　　　
［相違点２］
　本願発明は、
　光源用基板の前面に実装される光源が、光源用基板の前面に上下方向に沿って実装される複数の第１光源と、前記第１光源よりも前記識別情報表示窓寄りの内側にあって、前記光源用基板の前面に上下方向に沿って実装され前記第１光源と発光形態が異なる複数の第２光源とからなり、
　カバーが、導電性の表面処理が施された、遮光性の装飾カバーであり、前記第１、２光源を含む前記光源用基板を前方から覆うように前記前扉に固定されると共に、前記第１光源が設けられる領域を囲む第１部屋部、当該第１部屋部よりも前記識別情報表示窓寄りの内側にあって、前記第２光源が設けられる領域を囲む第２部屋部及び、前記第１部屋部と前記第２部屋部とを仕切り、前記第１部屋部内で発光する前記第１光源の光と前記第２部屋部内で発光する前記第２光源の光が互いに干渉しないように前記光源用基板の前面に向けて突出して上下方向へ延出する遮光壁を一体的に形成したものであり、
　レンズが、前記第１光源の前側にあって、前記第１光源の光を透過可能な第１レンズと、前記第２光源の前側で、前記第２光源の光を透過可能な第２レンズであるのに対して、
　刊行物１記載の発明は、
　光源用基板の前面に実装される光源が、第２ランプ基板３３ａに設けられたランプ、ＬＥＤ等の発光体であるとされているに過ぎず、第１光源、第２光源の区別がされておらず、したがって、第１レンズ（第２飾りレンズ３３ｂ）、第２レンズ（第３飾りレンズ３３ｃ）と第１光源、第２光源との関係の明示がなく、
　カバー（上パネル枠３１）は、第１部屋部（第２飾り用凹部３１ｄ）、第２部屋部（第３飾り用凹部３１ｅ）、隔壁を有するものの、それらと第１光源、第２光源との関係の明示がなく、また、隔壁が遮光壁でありかつ装飾カバーが遮光性であることの明示がない点。
　
［相違点３］　
　本願発明は、
　光源用基板の前面にプリント配線を設けており、
　前記装飾カバーを前記前扉に固定することにより、前記遮光壁の後端面と前記光源用基板の前面における前記プリント配線との間に弾性変形した状態で密接して前記装飾カバー及び前記光源用基板のがた付きを抑えると共に、前記遮光壁と前記光源用基板との間の隙間を遮蔽可能な絶縁性でかつ弾性変形可能な遮蔽部材を有するのに対して、
　刊行物１記載の発明は、そのような構成について特定がない点。
　
　そこで、相違点について検討する。
　
（相違点１について）
　まず、刊行物１記載の発明は、電飾手段が、識別情報表示窓よりも上方に位置する液晶表示装置の表示窓の左右両側及び上側に設けられているものであるが、
　電飾手段を識別情報表示窓の左右両側に設けることは、本願出願当時にありふれた技術である（文献を示すまでもないが、必要であれば、特開２００３−２３６０９９号公報の図１の装飾ランプ３６ａ，ｂ、特開２０００−３５０８２１号公報の図３の電飾部２０８、特開２００５−６５７６７号公報の図２のサイドランプ２３ｓ、特開２００５−８７２９４号の図１のサイドランプ１５１を参照）から、
　刊行物１記載の発明において、液晶表示装置の表示窓の上側に設けられている電飾部分を省略し、液晶表示装置の表示窓の左右両側に設けられている電飾部分を識別情報表示窓の左右両側にまで延長することは、当業者が前扉の構成を適宜変更して容易になし得る程度のことである。
　
　次に、電飾手段におけるレンズの向きについては、当業者が適宜設定することができる事項であって、従来から、電飾手段のレンズを必要に応じて遊技機の前に座った遊技者の側に向けたり、当該遊技者の側でない方向に向けたりしていること（例えば、特開平１１−２０６９９１号公報の図３、【００２６】では、発光装飾部材である上部枠ランプと第２上部枠ランプの発光方向を異ならせている。また、上記特開２００３−２３６０９９号公報の図１の装飾ランプ３６ａ，ｂ、上記特開２０００−３５０８２１号公報の図３の電飾部２０８、上記特開２００５−８７２９４号の図１のサイドランプ１５１や、特開２００４−２４５３０号公報の図１の装飾ランプ２４の向きも、遊技者側である例や遊技者側でない例が示されている。）を勘案すると、本願発明のごとくなすことに困難性はない。
　そして、請求人の主張する効果は、当業者が予測し得る範囲内のことであり、格別なものではない。
　
　したがって、刊行物１記載の発明において、相違点１に係る本願発明の構成を採用することは、当業者が容易になし得ることである。
　　
（相違点２について）
　刊行物１記載の発明は、刊行物１の図８から明らかなように、第２飾り用凹部３１ｄと第３飾り用凹部３１ｅとの間には、隔壁が設けられているところ、隔壁を含む上パネル枠３１は、第１〜３飾りレンズが隔壁を挟んで異なる凹部に設けられ、また、液晶表示装置の表示用開口枠３１ａ（当該開口枠３１ａを通して液晶表示装置からの出射光がみえる）を備えるから、光が所定以外の方向に漏れないように、上パネル枠３１（カバー）は、透明性が高いものではなく、多少なりとも遮光性を有している蓋然性が高い。
　一方、刊行物２には、パチンコ機やスロットル機などの各種遊技機が列設される遊技機島台において、その上部を装飾するために設けられる欄間装置に関して、共通する光源基板上に発光形態（色）が互いに異なる３つのＬＥＤランプ列１５ａ〜ｃが形成された電飾部（第１電飾部１２）を設ける技術が記載されている。
　刊行物３には、パチンコ機１０の最上部に設けられる、ＬＥＤ等の点灯部を複数個内蔵した表示手段としての外部表示部３９９に関して、外部表示部３９９を構成する部材が光を透過する部材であり、さらに上下に分割する仕切り板４００を漏光防止のための遮光部材として設け、共通する基板上に仕切り板４００を挟んで上側と下側で異なるランプ（下側のランプが外部保留ランプ４０１、上側のランプが装飾用ランプ４０２）を備えた、外部表示部の技術が記載されている。
　また、刊行物４には、パチンコ機の前枠に関して、前枠１における枠体２の前面に設けられた前飾り３が、上部飾り３１を備え、当該上部飾り３１が、回路基板３１ｍと、回路基板３１ｍの前面に設けられた複数のＬＥＤからなる上側発光源３１ｒと複数のＬＥＤからなる下側発光源３１ｓと、上下のランプカバー３１ｎ、３１ｐ（出光する側の前壁は、光を拡散するレンズの作用がある）と、一方のランプカバー３１ｐに設けられ、回路基板３１ｍの前面に向けて延出して、上側発光領域３１ｖと下側発光領域３１ｗに区分して一方の発光領域から他方の発光領域に光が漏れないように遮る隔壁３１ｕとを含む構造である技術が記載されている。なお、刊行物４に、明示はないが、上側発光源３１ｒと下側発光源３１ｓとは、隔壁３１ｕを設ける以上、互いに発光形態（発光の色や発光タイミングなど）が異なる光源であるとみられる。
　
　刊行物３、４の技術は、２つの発光領域の間に所定の隔壁を設けることにより、一方の発光領域から他方の発光領域に光が漏れないように遮るものである。
　ここで、刊行物１記載の発明も、２つの発光領域（第２飾りレンズに対応する発光領域と、第３飾りレンズに対応する発光領域）の間に隔壁を有しており、この点で刊行物３、４の技術と共通するから、刊行物１記載の発明において、刊行物３、４の技術を適用して、カバー（上パネル枠３１）の隔壁に対して一方の発光領域から他方の発光領域に光が漏れないように遮る機能（遮光性）を持たせることは、当業者が容易に想到できることである。
　
　また、遊技機において装飾等を目的として部品や装置の表面にメッキ等の導電性の表面処理を施すことは、本願出願前に周知の技術である。必要であれば、特開２００２−２８２８０号公報の【０００８】、特開２００４−１４７８２１号公報の【０００２】、特開平７−２９９２２３号公報の【００１１】、特開平１１−５７１２５号公報の【０００２】【０００３】、特開平１１−２２２６９８号公報の【０００２】〜【０００５】を参照。
　そうすると、刊行物１記載の発明において（なお、上記のとおり刊行物１記載の発明では上パネル枠３１が多少なりとも遮光性を有している蓋然性が高い。）、上記周知技術を適用して、カバー（上パネル枠３１）の隔壁だけでなく、カバーの表面全体をメッキ等による導電性の表面処理を施した、遮光性の装飾カバーとすることは、当業者が容易になし得ることである。
　
　刊行物１記載の発明において、光源を、第１レンズ（第２飾りレンズ３３ｂ）の発光領域、第２レンズ（第３飾りレンズ３３ｃ）の発光領域に対応して、それぞれ、複数の第１光源、複数の第２光源に分けて、複数の第１光源を、光源用基板の前面に上下方向に沿って実装し、複数の第２光源を、第１光源よりも識別情報表示窓寄りの内側にあって、光源用基板の前面に上下方向に沿って実装するとともに、第１光源と第２光源の発光態様または発光形態を異ならせることは、
　刊行物４で示唆される発光領域に応じて発光形態が異なる光源を設ける技術（なお、複数の装飾用ランプが異なる位置に設けられ、その位置の違いによりランプの発光や点滅等を異ならせることは周知でもある。）や、同じく刊行物４に示される、各光源が複数のＬＥＤからなり、光源用基板上に所定方向に沿って列をなして実装される技術、刊行物２の上記した技術を参考にして、当業者であれば容易になし得ることである。
　
　したがって、刊行物１記載の発明において、相違点２に係る本願発明の構成を採用することは、当業者が容易になし得ることである。
　
（相違点３について）　　
　遊技機において光源用基板の前面（光源が設けられる面）にプリント配線を設けることは、本願出願前に周知の技術である。必要であれば、特開平１０−２７７２１４号公報の【００１５】等、特開２０００−１８９６３５号公報の【００１５】〜【００１７】等、実願平４−７５４１０号（実開平６−３１７８６号）のマイクロフィルムの図１等、を参照。
　また、刊行物５には、ＣＤ再生装置の前面部における２種類の光源の間での漏光防止構造に関して、２種類の光源の間を仕切る漏光防止壁２６を設けるとともに、漏光防止壁２６と前面基板４０との間に、弾性を有するマスクを延長して介在させて密着し、漏光防止を図る技術（さらに部品のがたつき防止の効果も得られる。）が記載されている。これはＣＤ再生装置の前面部における２種類の光源の間での漏光防止技術であるが、他の技術分野における漏光防止に適用できることは、当業者に明らかである。
　そして、遊技機においても２種類の光源の間で漏光防止を図ることは、刊行物３、４にみるように、周知の課題である。
　そうすると、刊行物１記載の発明において、上記周知技術を適用して、光源用基板の前面（すなわち、光源が設けられる面）にプリント配線を設けるとともに、刊行物５の漏光防止技術を適用することは、当業者が容易に想到し得ることである。
　また、その適用の際、電気基板と導電性の部品とが接触して電気的なショートが発生しないように、絶縁材料の部材を介在させる技術は、周知慣用の技術である（必要であれば、特開２００１−１９８３０９号公報の【００２７】【００３２】、特開平９−２８８６２号公報の【０００７】【００３０】、特開平１０−１９２５３５号公報の【００２８】を参照。）ので、これを考慮して、カバー（上パネル枠３１）表面全体をメッキ等による導電性の表面処理を施すこと（相違点２の判断を参照）にあわせて、刊行物５に例示される漏光防止用の材料のうち、絶縁性の合成樹脂を採用することは、当業者であれば容易になし得ることである。
　
　また、請求人が主張する、相違点３に係る本願発明の構成により奏する効果（装飾カバーにおける遮光壁の後端面と光源用基板の前面におけるプリント配線との間に絶縁性でかつ弾性変形可能な遮蔽部材を設けたことにより、遮光壁の後端面と光源用基板の前面との間の隙間を確実に遮蔽して、第１部屋内で発光する第１光源の光と第２部屋内で発光する第２光源の光が互いに干渉することをより確実に抑止することができる。さらには、光源用基板のがた付きを抑えることができる。さらには、装飾カバーをクロムメッキ等の導電性の表面処理を施した場合であっても、光源用基板のプリント配線のショートを確実に防止することができる。）は、当業者であれば、刊行物１及び刊行物５に記載された事項、上記周知技術から予測し得る程度のことであって、格別なものとはいえない。
　
　したがって、刊行物１記載の発明において、相違点３に係る本願発明の構成を採用することは、当業者が容易になし得ることである。
　
（相違点１〜３全体について）　
　また、上記では相違点１〜３を個別に検討したが、相違点１〜３全体としてみても、刊行物１記載の発明に、刊行物１〜５の技術や上記周知技術を適用して、相違点１〜３に係る本願発明の構成を採用することに、困難性はない。
　
（まとめ）　 
　したがって、本願発明は、刊行物１記載の発明、刊行物１〜５の技術、周知技術に基づいて当業者が容易に発明をすることができたものである。 
　
　
４．むすび
　以上のとおり、本願の請求項１に係る発明は、当業者が、刊行物１記載の発明、刊行物１〜５に記載された技術、周知技術に基づいて容易に発明をすることができたものであり、特許法第２９条第２項の規定により特許を受けることができないものであるから、本願は拒絶すべきである。
　よって、結論のとおり審決する。